(57)【要約】【課題】防水性が確保された本体に振動を伝達する部材を貫通させる穴を設けることなく、シャンプーブラシに振動を伝達できる電動シャンプーブラシを提供すること。【解決手段】電動シャンプーブラシ１は、本体１０において、シャンプーブラシ２０に連結される上ボディ１１及び下ボディ１５と、防水された空間を形成する上ボディ１１及び下ボディ１５の内部において、上ボディ１１に固着されて、偏芯重り１２ｃが先端に設けられたシャフト１２ｂを回転するモータ１２ａにより振動を発生する振動発生手段１２と、を備え、上ボディ１１を介して振動発生手段１２で発生した振動をシャンプーブラシ２０に伝達する。【選択図】図１
2012235941.tif 000002
【特許請求の範囲】
【請求項１】
振動を発生する本体と、前記本体に着脱自在に装着されたシャンプーブラシと、を備える電動シャンプーブラシにおいて、
前記本体は、
内部に防水された空間を形成し、前記シャンプーブラシに連結されるボディと、
前記ボディの内部において、前記ボディに固着されて振動を発生する振動発生手段と、を備え、
前記振動発生手段は、
シャフトが回転するモータと、
前記シャフトに設けられた偏芯重りを有し、
前記シャンプーブラシには、前記ボディを介して前記振動発生手段で発生した振動が伝達される電動シャンプーブラシ。
【請求項２】
前記シャンプーブラシは、
弾性変形可能なベースと、
前記ベースから突出する複数の突起と、
互いに隣接する前記突起の基端部に連結し、前記ベースから突出する板状の壁部と、を備える請求項１に記載の電動シャンプーブラシ。
【発明の詳細な説明】
【技術分野】
【０００１】
本発明は、電動シャンプーブラシに関し、詳しくは、振動を発生する本体と、本体に着脱自在に装着されたシャンプーブラシと、を備える電動シャンプーブラシに関する。
【背景技術】
【０００２】
電動シャンプーブラシは、本体に内蔵されたモータにより振動を発生し、シャンプーブラシに振動を伝達し、このシャンプーブラシを振動させる。
電動シャンプーブラシは、浴室や洗面所の水場で使用されるため、本体の内部に設けられたモータが水没しないように、本体には防水性が要求される。
ところが、電動シャンプーブラシには、防水性が確保された本体の内部に設けられたモータにより発生させた振動を、水に浸ることとなるシャンプーブラシに伝達させなければならないという問題がある。
【０００３】
そこで、特許文献１には、本体の内部に設けられたモータに鉄心を接続し、本体に鉄心が貫通する穴を設け、この穴から鉄心を突出させてシャンプーブラシに接続する電動シャンプーブラシが提案されている。
この電動シャンプーブラシによれば、鉄心を介して、モータにより発生させた振動をシャンプーブラシに伝達できる。
【先行技術文献】
【特許文献】
【０００４】
【特許文献１】特開２００５−９５５３４号公報
【発明の概要】
【発明が解決しようとする課題】
【０００５】
しかしながら、特許文献１の電動シャンプーブラシは、本体に設けた鉄心が貫通する穴から、鉄心を伝って本体の内部に水が侵入する場合がある。
【０００６】
本発明は、防水性が確保された本体に振動を伝達する部材を貫通させる穴を設けることなく、シャンプーブラシに振動を伝達できる電動シャンプーブラシを提供することを目的とする。
【課題を解決するための手段】
【０００７】
（１）  振動を発生する本体と、前記本体に着脱自在に装着されたシャンプーブラシと、を備える電動シャンプーブラシにおいて、前記本体は、内部に防水された空間を形成し、前記シャンプーブラシに連結されるボディと、前記ボディの内部において、前記ボディに固着されて振動を発生する振動発生手段と、を備え、前記振動発生手段は、シャフトが回転するモータと、前記シャフトに設けられた偏芯重りを有し、前記シャンプーブラシには、前記ボディを介して前記振動発生手段で発生した振動が伝達される電動シャンプーブラシ。
【０００８】
（１）の発明によれば、本体は、内部に防水された空間を形成し、シャンプーブラシに連結されるボディと、ボディの内部において、ボディに固着されて、偏芯重りが先端に設けられたシャフトを回転するモータにより振動を発生する振動発生手段と、を備えた。そして、シャンプーブラシには、ボディを介して振動発生手段で発生した振動を伝達する。
これにより、本体において、モータにより偏芯重りが設けられたシャフトが回転すると、偏芯重りにより、モータ自体が振動する。この振動は、モータが固着されたボディに伝達され、さらに、ボディを介してシャンプーブラシに伝達される。
したがって、防水性が確保された本体に振動を伝達する部材を貫通させる穴を設けることなく、シャンプーブラシに振動を伝達できる電動シャンプーブラシを提供できる。
【０００９】
（２）  前記シャンプーブラシは、略平板状のベースと、前記ベースから突出する複数の突起と、互いに隣接する前記突起の基端部に連結し、前記ベースから突出する板状の壁部と、を備える（１）に記載の電動シャンプーブラシ。
【００１０】
（２）の発明によれば、（１）の発明の構成に加え、電動シャンプーブラシは、弾性変形可能なベースと、
ベースから突出する複数の突起と、互いに隣接する突起の基端部に連結し、ベースから突出する板状の壁部とを備えた。
これにより、（１）の発明の作用効果に加え、複数の突起により、使用者の頭皮をマッサージし、壁部により頭髪の中に埋もれた抜け毛を掻き出すことができる。
【発明の効果】
【００１１】
本発明によれば、防水性が確保された本体に振動を伝達する部材を貫通させる穴を設けることなく、シャンプーブラシに振動を伝達できる電動シャンプーブラシを提供できる。
【図面の簡単な説明】
【００１２】
【図１】本発明の実施形態に係る電動シャンプーブラシの斜視図である。
【図２】前記実施形態に係る電動シャンプーブラシの分解斜視図である。
【図３】前記実施形態に係る本体の分解斜視図である。
【図４】前記実施形態に係る振動発生手段の説明図である。
【図５】前記実施形態に係る電動シャンプーブラシのブロック図である。
【図６】前記実施形態に係るシャンプーブラシの斜視図である。
【発明を実施するための形態】
【００１３】
以下、本発明の実施形態を図面に基づいて説明する。
図１は、本発明の実施形態に係る電動シャンプーブラシ１の斜視図である。
電動シャンプーブラシ１は、振動を発生する本体１０と、本体１０に着脱自在に装着されたシャンプーブラシ２０と、を備える。
【００１４】
図２は、電動シャンプーブラシ１の分解斜視図である。
本体１０は、ドーム状に形成された上ボディ１１と、上ボディ１１に固定される皿状に形成された下ボディ１５を有し、上ボディ１１の頂部近傍には使用者が把持可能な把持部１０ａが形成されている。
シャンプーブラシ２０は、略円形状に立設する壁２１ａが形成された枠２１を有し、壁２１ａの内周面が本体１０の外周に係合することで、本体１０に着脱自在に装着される。
【００１５】
本体１０の構成について、詳細に説明する。
図３は、本体１０の分解斜視図である。
本体１０は、上ボディ１１の端縁においてゴムパッキンが埋め込まれた溝部１１ａと、下ボディ１５の端縁に形成された突起部１５ａとが嵌合することで、防水された内部空間を形成する。
本体１０は、この内部空間において、振動発生手段１２と、振動発生手段１２に電池から電流を供給する電源１３と、振動発生手段１２の駆動を制御する基板１４と、基板１４に信号を送信し、上ボディ１１においてゴムで形成された部分を介して使用者が操作可能なスイッチ１４２と、を備える。
【００１６】
図４は、振動発生手段１２の説明図である。
振動発生手段１２は、シャフト１２ｂが回転するモータ１２ａと、シャフト１２ｂに設けられた偏芯重り１２ｃを有する。振動発生手段１２は、上ボディ１１から内部に突出して設けられたモータ固定部１１ｂにより、上ボディ１１に固着されている。
【００１７】
偏芯重り１２ｃは、シャフト１２ｂの軸芯から外縁までの距離が、モータ１２ａよりも大きく略半円状に形成されている。これにより、モータ１２ａによりシャフト１２ｂが回転されると、この偏芯重り１２ｃも回転し、モータ１２ａに対して周期的に偏芯加重が発生し振動となる。この振動は、モータ固定部１１ｂを介して上ボディ１１に伝達され、本体１０に装着されたシャンプーブラシ２０（図１参照）に伝達される。
【００１８】
図３に戻って、基板１４について説明する。
基板１４には、モータ１２ａ、電源１３及びスイッチ１４２が電気的に接続されている。
基板１４は、電源１３より供給された電流を、その強さを調整し、所定のタイミングでモータ１２ａに供給する。
【００１９】
図５は、電動シャンプーブラシ１のブロック図である。
基板１４は、マイクロプロセッサ１４０と、共振器１４１と、スイッチ１４２と、を備え。マイクロプロセッサ１４０は、スイッチ１４２から送信される使用者の操作に応じた電源のオン及びオフやモード（例えば、連続的に振動を発生するモードや間欠的に振動を発生するモード）の切り替え信号に応じて、共振器１４１により発生した周波数で、電源１３から得た電流をモータ１２ａに供給する。
【００２０】
次に、シャンプーブラシ２０の構成について、詳細に説明する。
図６は、シャンプーブラシ２０の斜視図である。
シャンプーブラシ２０は、本体１０と係合する枠２１と、枠２１の本体１０とは反対側に設けられ、弾性部材で略平板状に形成されたベース２２と、ベースから突出し、弾性部材で形成された複数の突起２３と、互いに隣接する突起２３の基端部に連結し、ベース２２から突出し、弾性部材で板状に形成された壁部２４と、を備える。
【００２１】
次に、電動シャンプーブラシ１の動作を説明する。
使用者は、シャンプーブラシ２０の突起２３を頭皮に当て、スイッチ４２を操作して、電動シャンプーブラシ１の電源をオンにする。
これにより、モータ１２ａがシャフト１２ｂと共に偏芯重り１２ｃを回転させることで、本体１０に振動が発生し、この振動がシャンプーブラシ２０に伝達され、使用者の頭皮をマッサージできる。
【００２２】
上記実施形態によれば、電動シャンプーブラシ１は、以下の作用効果を奏する。
本体１０は、内部に防水された空間を形成し、シャンプーブラシ２０に連結される上ボディ１１及び下ボディ１５と、上ボディ１１及び下ボディ１５の内部において、上ボディ１１に固着されて、偏芯重り１２ｃが先端に設けられたシャフト１２ｂを回転するモータ１２ａにより振動を発生する振動発生手段１２と、を備えた。そして、シャンプーブラシ２０には、上ボディ１１を介して振動発生手段１２で発生した振動を伝達する。
これにより、本体１０において、モータ１２ａにより偏芯重り１２ｃが設けられたシャフト１２ｂが回転すると、偏芯重り１２ｃにより、モータ１２ａが振動する。この振動は、モータ１２ａが固着された上ボディ１１に伝達され、さらに、上ボディ１１を介してシャンプーブラシ２０に伝達される。
したがって、防水性が確保された本体に振動を伝達する部材を貫通させる穴を設けることなく、シャンプーブラシに振動を伝達できる電動シャンプーブラシを提供できる。
【００２３】
また、電動シャンプーブラシ１は、弾性変形可能なベース２２と、ベース２２から突出する複数の突起２３と、互いに隣接する突起２３の基端部に連結し、ベース２２から突出する板状の壁部２４を備えた。
これにより、複数の突起により、使用者の頭皮をマッサージし、壁部により頭髪の中に埋もれた抜け毛を掻き出すことができる。
【００２４】
なお、本発明は前記実施形態に限定されるものではなく、本発明の目的を達成できる範囲での変形、改良等は本発明に含まれるものである。
【符号の説明】
【００２５】
１      電動シャンプーブラシ
１０    本体
１１    上ボディ
１５    下ボディ
１２ｃ  偏芯重り
１２ｂ  シャフト
１２ａ  モータ
２０    シャンプーブラシ
【図１】
2012235941.tif 000003
【図２】
2012235941.tif 000004
【図３】
2012235941.tif 000005
【図４】
2012235941.tif 000006
【図５】
2012235941.tif 000007
【図６】
2012235941.tif 000008